(57)【特許請求の範囲】
【請求項１】
筒状のハウジングと、このハウジング内に設けられて内部に擬似血液と気体とを収容した袋体と、上記ハウジングに設けられ、シリンジの先端部が連結される連通孔を有する連結部材と、当該連結部材に設けられるとともに先端が袋体の内部の先端部近傍まで設けられて、上記シリンジを連結部材の連通孔を介して袋体内に連通させる管状のチューブとを備え、
上記袋体は、シリンジから上記連結部材の連通孔およびチューブを介して液体が供給された際にハウジング内で膨張され、また袋体内の擬似血液がシリンジ内に吸入された際に収縮されるようにし、
さらにハウジングの後端部が上方を向いて袋体の内部で気体が浮上した状態で、上記シリンジにより上記袋体の擬似血液を吸引する際には、上記気体を吸引することなく上記チューブより当該袋体内の擬似血液を吸引できるようにしたことを特徴とする薬物渇望抑制器具。
【請求項２】
上記袋体は、弾性を有していない材料で製造されていることを特徴とする請求項１に記載の薬物渇望抑制器具。
【請求項３】
上記ハウジングに貫通孔を穿設し、上記袋体の膨らみを許容する空間の空気を排出可能としたことを特徴とする請求項１または請求項２のいずれかに記載の薬物渇望抑制器具。
【請求項４】
ハウジングを不透明に製造したことを特徴とする請求項１ないし請求項３のいずれかに記載の薬物渇望抑制器具。
【請求項５】
ハウジングの先端に凸形状を設けるとともに使用時には該凸形状が使用者に押し当てられることを特徴とする請求項１ないし請求項４のいずれかに記載の薬物渇望抑制器具。
【請求項６】
上記請求項１ないし請求項５のいずれかに記載の薬物渇望抑制器具と、シリンジとを備えたことを特徴とする薬物渇望抑制キット。
【発明の詳細な説明】
【技術分野】
【０００１】
本発明は薬物渇望抑制器具および薬物渇望抑制キットに関し、具体的には薬物依存者の治療に用いる薬物渇望抑制器具および薬物渇望抑制キットに関する。
【背景技術】
【０００２】
従来、覚せい剤を始めとする薬物の反復乱用による薬物依存者の治療が行われているが、未だ治療方法は確立されておらず、さまざまな治療方法が試みられている。
このような治療方法として、薬物依存者に対して薬物の使用を意識させる条件刺激を与えておきながら、実際には薬物を摂取させないことを反復して、薬物依存者における条件刺激の意義を消失させ、条件反射を抑制しようとするものが提案されている（非特許文献１）。
この非特許文献１では、薬物依存者が薬物を入手してから薬物を実際に摂取する過程で、例えば薬物の売人の顔、薬物入りのパック、シリンジ等を見ることが条件刺激となり、これらが脳内に条件反射回路を作ることとなる。
このため、薬物依存者は薬物の摂取をしなくとも、薬物そのものや薬物の売人の顔、薬物入りのパック、シリンジ等を見ると、条件反射により薬物への渇望が発生するものと考えられている。
そしてこのような条件刺激を薬物依存者に与えつつ、実際には薬物の摂取させないことを反復すれば、上記条件刺激による意義が消滅して、条件反射による薬物への渇望を抑制できるものと期待されている。
ここで上記条件刺激のうち薬物依存者に大きな影響を及ぼすものとして、薬物依存者がシリンジを操作して薬物を摂取する行為そのものや、その際に穿刺針が血管に刺入されているか否かを確認するためにシリンジに血液を逆流（フラッシュバック）させ、これを視認するというものがある。
このような条件刺激を薬物依存者に与えて治療を行うには、シリンジに薬物に代えて生理的食塩水等をいれ、この生理食塩水を薬物依存者に摂取させたり、また上記シリンジに血液が逆流するのを視認させることが考えられる。
【非特許文献１】月刊「精神科」第８巻第６号、平成１８年６月２８日発行、「覚せい剤依存の特異性への対応」平井愼二著
【発明の開示】
【発明が解決しようとする課題】
【０００３】
しかしながら、薬物依存者に穿刺針を刺入することができるのは医師などの医療従事者に限られ、多数の薬物依存者にこれらの治療を行うには医療従事者にとって多大な労力および時間が必要となる。
また治療に穿刺針を使用するので、穿刺針による不慮の誤穿刺事故が発生しないとも限らない。
このような問題に鑑み、本発明は医療従事者でない者や薬物依存者本人であっても安全に使用することの可能な薬物渇望抑制器具および薬物渇望抑制キットを提供するものである。
【課題を解決するための手段】
【０００４】
すなわち、請求項１の発明にかかる薬物渇望抑制器具は、筒状のハウジングと、このハウジング内に設けられて内部に擬似血液と気体とを収容した袋体と、上記ハウジングに設けられ、シリンジの先端部が連結される連通孔を有する連結部材と、当該連結部材に設けられるとともに先端が袋体の内部の先端部近傍まで設けられて、上記シリンジを連結部材の連通孔を介して袋体内に連通させる管状のチューブとを備え、
上記袋体は、シリンジから上記連結部材の連通孔およびチューブを介して液体が供給された際にハウジング内で膨張され、また袋体内の擬似血液がシリンジ内に吸入された際に収縮されるようにし、
さらにハウジングの後端部が上方を向いて袋体の内部で気体が浮上した状態で、上記シリンジにより上記袋体の擬似血液を吸引する際には、上記気体を吸引することなく上記チューブより当該袋体内の擬似血液を吸引できるようにしたことを特徴としている。
【０００５】
また請求項６の発明にかかる薬物渇望抑制キットは、請求項１ないし請求項５のいずれかに記載の薬物渇望抑制器具と、シリンジとを備えたことを特徴としている。
【発明の効果】
【０００６】
上記発明にかかる薬物渇望抑制器具および薬物渇望抑制キットによれば、シリンジより液体を供給すると袋体が膨張してシリンジ内の液体を収容するため、薬物依存者はシリンジの操作によって薬物依存者に薬物の摂取の摂取を擬似的に体験することができる。
また、シリンジを吸引すると袋体は収縮するとともに擬似血液がシリンジに逆流するため、薬物依存者はシリンジに擬似血液が逆流（フラッシュバック）することを視認することができる。
このように、本発明の薬物渇望抑制器具によれば穿刺針を用いることなく薬物依存者に条件刺激を与えることができるので、医療従事者によらなくとも安全に薬物依存者の治療を行うことができる。
【発明を実施するための最良の形態】
【０００７】
以下図示実施例について説明すると、図１は薬物依存者の治療に用いる薬物渇望抑制器具１と、該薬物渇望抑制器具１に連結したシリンジ２とからなる薬物渇望抑制キットＫを示している。
まず、上記シリンジ２は後述する擬似薬物Ｍを収容する本体部３と、該本体部３に対して進退動可能に設けられたプランジャ４とから構成されている。上記本体部３の先端には縮径された連結部３ａが形成されているものの、穿刺針は設けられていない構成となっている。
また本体部３は透明な部材で製造されており、薬物依存者が内部の擬似薬物Ｍや擬似血液Ｂを視認することが可能となっている。
【０００８】
次に、上記薬物渇望抑制器具１は、筒状のハウジング１１と、このハウジング１１内に設けられるとともに擬似血液Ｂを収容した袋体１２と、ハウジング１１に設けられるとともに上記シリンジ２の連結部３ａが連結される連結部材１３とを備えている。
上記ハウジング１１は有底筒状の部材であって、不透明な素材で製造されているか、または外部に不透明な塗装が施されている。このため、ハウジング１１の外部からは内部の袋体１２やさらにその内部の擬似血液Ｂを視認できないようになっている。
薬物渇望抑制器具１は穿刺針に代えてシリンジ２に装着されるものであり、ハウジング１１の形状は極力細長い形状を有するのが望ましく、先端形状は医療従事者や薬物依存者の安全を考えて平坦とされている。
また、ハウジング１１の内部には上記袋体１２との間に所要の空間Ｓが形成されており、後述するように袋体１２に擬似薬物Ｍ等が流入する際には、該袋体１２の膨らみを許容するようになっている。
さらに、上記空間Ｓの形成されている位置には貫通孔１１ａが設けられており、ハウジング１１の外部と空間Ｓとを相互に連通させ、上記袋体１２が膨らむと空間Ｓの空気を排出して、袋体１２の膨らみを阻害しないようにしている。
【０００９】
上記袋体１２は上記ハウジング１１の後端の開口部側に向けて開口しており、その内部には擬似血液Ｂとして赤色インクを収容している。
またこの袋体１２はポリエチレン、ポリプロピレン等の弾性を有していない材料で製造されており、自ら収縮しないことで貯溜した擬似血液Ｂを外部に排出しないようになっている。
さらに、薬物渇望抑制器具１の未使用状態において、袋体１２は若干萎んだ状態となっている。換言すると、袋体１２には擬似血液Ｂが完全に満たされておらず、袋体１２にシリンジ２内の擬似薬物Ｍを供給すると、袋体１２は膨らむようになっている。
【００１０】
上記連結部材１３は、上記ハウジング１１の開口部に固定され、該連結部材１３の後端部には上記シリンジ２の連結部３ａが接続されている。また連結部材１３における上記ハウジング１１の内部に突出した部分には上記袋体１２の開口部が液密に接着固定されている。
さらに、連結部材１３の中央には連通孔１３ａが設けられており、また連結部材１３の先端には該連通孔１３ａに連通する管状のチューブ１４が設けられている。これら連通孔１３ａおよびチューブ１４によりシリンジ２と袋体１２とは相互に連通するようになっている。
上記チューブ１４の先端は袋体１２の先端部近傍まで設けられており、ハウジング１１の後端部を上方に向けて使用すれば袋体１４内の気体が浮上するため、その状態でシリンジ２により袋体１２内部の液体を吸引しても、この気体がチューブ１４を介してシリンジ２に流入することはない。
また、上記連結部材１３には、上記シリンジ２を接続しない不使用状態において所要のキャップ１５（図２参照）を装着することが可能となっており、袋体１２の擬似血液Ｂが流出するのを防止することができる。
【００１１】
以下、図２を用いて薬物渇望抑制キットＫを用いた薬物依存者の治療方法について説明する。この治療方法は医療従事者や医療従事者でない者が薬物依存者に対して行うことも可能であり、また薬物依存者自らが行うことも可能となっている。以下、薬物依存者が自ら使用するものとして説明する。
図２（ａ）は、上記シリンジ２に擬似薬物Ｍを準備するとともに、薬物渇望抑制器具１を使用可能にする様子を示している。
最初に、シリンジ２には薬物渇望抑制器具１が接続されておらず、またプランジャ４は本体部３より離脱し、本体部３には何も収容されていない状態となっている。
この状態から、最初に薬物依存者はシリンジ２の本体部３の後端部より粉末状の薬物を模した適量の塩等を投入し、続いて本体部３の後端部よりプランジャ４を装着する（この作業については図示せず）。
次に、薬物依存者は投入した粉末状の擬似薬物が接続部３ａより落下しないようにしながら、溶解液、例えば生理食塩水を貯溜した所要の容器に本体部３の接続部３ａを挿入し、プランジャ４を後退させて所要の生理食塩水を本体部３に吸引する。
そして、薬物依存者はシリンジ２の先端を上方に向けて内部の生理食塩水等が漏れないようにし、さらにシリンジ２を回転させることで粉末状の擬似薬物と生理食塩水とが混合され、液状の擬似薬物Ｍを得る。
一方、薬物渇望抑制器具１の連結部材１３には袋体１２内の擬似血液Ｂの流出を防止するためのキャップ１５が装着されている。
この状態から、薬物依存者はハウジング１１の先端を下方、すなわちキャップ１５を上方に位置させた状態で、薬物渇望抑制器具１を数回たたき、袋体１２内部の擬似血液Ｂを下方に移動させる。
そしてこの一連の作業において、粉末状の擬似薬物やシリンジ２を見たり、またシリンジ２に擬似薬物Ｍを準備することは、薬物依存者にとって条件刺激であり、薬物への渇望を起こさせるものとなる。
【００１２】
図２（ｂ）は、上記シリンジ２を薬物渇望抑制器具１に接続するともに、擬似プライミングを行う様子を示している。
具体的には、まず上記薬物渇望抑制器具１からキャップ１５を取り除き、シリンジ２の連結部３ａを上記連結部材１３に接続する。
このとき、上記図２（ａ）の作業でシリンジ２に生理食塩水を吸引する際、シリンジ２の内部に気体が入り込む場合があるが、実際の薬物摂取の際にはこの気体が体内に流入するのを防止するため、この気体を除去するプライミングを行う必要がある。
ここでは、このプライミングを模して擬似プライミングを行うようになっており、実際の操作と同様、薬物依存者はプランジャ４を若干前進させる。その結果、シリンジ２内の気体と一部の擬似薬物Ｍが連結部材１３およびチューブ１４を介して袋体１２に流入する。
これにより袋体１２は上記気体および擬似薬物Ｍの流入によって若干膨らみ、一方ハウジング１１の空間Ｓは減少して、その分の気体はハウジング１１に形成された貫通孔１１ａより排出される。
このように空間Ｓより気体を排出すれば、該空間Ｓが陽圧になることはないため、袋体１２の膨らみが阻害されるが防止され、プランジャ４の前進が阻害されないこととなる。
そしてこの作業において、擬似プライミングを行うことは、薬物依存者にとって条件刺激であり、薬物への渇望を起こさせるものとなる。
【００１３】
図２（ｃ）は、薬物依存者に擬似的なフラッシュバックを視認させる様子を示している。
具体的には、まず薬物依存者は連結した薬物渇望抑制器具１およびシリンジ２を上記ハウジング１１の先端を下方に向けたまま、ハウジング１１の先端で静脈近傍の皮膚を押圧する。これにより薬物依存者は穿刺針を血管に刺入する行為を体感することができる。
次に薬物依存者はハウジング１１の先端を皮膚に接触させたまま、シリンジ２のプランジャ４を後退させる。するとシリンジ２内部は負圧となり、上記連結部材１３およびチューブ１４を介して袋体１２の内部の擬似血液Ｂが吸引され、袋体４は収縮される。
そして、吸引された擬似血液Ｂはシリンジ２内に流入し、擬似血液Ｂが赤色に着色されていることから、薬物依存者はシリンジ２の内部に擬似血液Ｂの逆流（フラッシュバック）を視認することができる。
血液のフラッシュバックを視認することは、薬物依存者が実際に薬物の摂取を行う際に、シリンジの穿刺針が静脈に刺入されているか否かを確認するために行うものであり、薬物依存者に与える条件刺激としては特に大きなものと考えられている。
このように、擬似血液Ｂのフラッシュバックを視認することは、薬物依存者にとって大きな条件刺激であり、より大きな薬物への渇望を起こさせるものとなる。
【００１４】
この図２（ｃ）における作業において、上記チューブ１４は袋体１２の先端部近傍まで設けられており、また薬物渇望抑制器具１を下方に向けて使用することから、図２（ｂ）の擬似プライミングの際に袋体１２に流入した気体は該袋体１２の上方に浮上している。
このため、プランジャ４を後退させると袋体１２の下方に貯溜される擬似薬物Ｍだけが吸引され、気体がシリンジ２に逆流することはないので、より現実に近い形でフラッシュバックの疑似体験を行わせることができる。
また、薬物依存者によっては、このフラッシュバックを何度も視認するため、複数回にわたってプランジャ４を往復動させる場合がある。
この場合も、プランジャ４を前進させれば擬似薬液が袋体４に流入し、プランジャを後退させれば擬似血液がシリンジに逆流するので、薬物依存者に何度でもフラッシュバックを視認させることが可能である。
【００１５】
図２（ｄ）は、薬物依存者がプランジャ４を最後まで押圧して、薬物の摂取を疑似的に行う様子を示している。
プランジャ４を最後まで押圧すると、シリンジ２内の擬似薬物Ｍおよび擬似血液Ｂは連結部材１３およびチューブ１４を介して袋体１２に流入し、袋体１２は膨らむこととなる。
袋体１２は擬似血液Ｂおよび擬似薬物Ｍを収容可能な容積であるとともに、予め収縮した状態となっているので、擬似薬物Ｍが供給されてもこれら全てを収容することができる。
一方、袋体１２が膨らむことで、上記ハウジング１１に形成された空間Ｓの体積が減少するが、空間Ｓの気体は上記貫通孔１１ａより排出され、プランジャ４の押圧が阻害されることはない。
そして、プランジャ４を押圧させる動作は、薬物依存者にとって条件刺激となり、自律神経に変調を及ぼすこととなるが、実際には薬物の摂取がされず、薬物依存者は薬物そのものによる高揚感等を得ることはできない。
【００１６】
その後、このような上記治療方法を繰り返すことにより、上記操作によって生じる条件刺激が与えられても、実際の薬物による高揚感等が得られないので、これら条件刺激の意義が消滅してゆく。
そして条件反射による薬物への渇望を抑制することが、薬物依存者の治療につながることとなる。
また、上記治療方法では穿刺針を使用しないことから、本来なら穿刺針による刺入を認められていない医療従事者以外の者であっても、上記治療を行うことができる。
さらに、穿刺針が設けられていないので、薬物依存者本人での使用も可能であり、自らが上記操作を行うことで、医療従事者が行うよりもより効果的に治療効果を上げることができる。
【００１７】
なお、上記実施例では薬物渇望抑制器具１のハウジング１１の先端は略平坦となっているが、該先端に凸形状を設けて、上記図２（ｃ）（ｄ）におけるハウジング１１の先端を薬物依存者の皮膚に押圧させると、薬物依存者に穿刺痛に近い感覚を与えることができ、これにより条件刺激を与えることが可能である。
【図面の簡単な説明】
【００１８】
【図１】本実施例にかかる薬物渇望抑制キットの断面図。
【図２】薬物渇望抑制キットを用いた治療方法を説明する図。
【符号の説明】
【００１９】
１  薬物渇望抑制器具                ２  シリンジ
３  本体部                          ４  プランジャ
１１  ハウジング                    １１ａ  貫通孔
１２  袋体                          １３  連結部材
１４  チューブ                      Ｂ  擬似血液
Ｋ  薬物渇望抑制キット              Ｍ  擬似薬物
Ｓ  空間
【図１】
0005146931.tif 000002
【図２】
0005146931.tif 000003